(57)【要約】      （修正有）【課題】所望のシーンを高精度に検索する端末装置、検索装置、解析装置、推定装置、システム、端末装置の動作方法及びプログラム術を提供する。【解決手段】サーバ２０（検索装置）は、動画から抽出された人物の外観の特徴と動きの特徴とを対応付けた人物情報を記憶し、端末装置から受信した入力情報をキーとして人物情報を検索し、検索結果を端末装置に返信する。端末装置は、サーバ２０に記憶されている人物情報の一部または全部をサーバ２０から取得して記憶し、入力情報をキーとして検索し、検索結果を入力欄に入力される情報の候補としてディスプレイに表示させる。【選択図】図１０
2019067055.tif 000002
【特許請求の範囲】
【請求項１】
ニオイを検知するニオイ検知手段と、
コンテンツの視聴の開始、及び、閾値以上の強度のニオイの検知の少なくとも一方を含むイベントを検出する検出手段と、
前記イベントの検出に応じて、検知されたニオイを記録する記録手段と、
記録されたニオイを示す情報を外部装置に送信する送信手段と、
を有する端末装置。
【請求項２】
請求項１に記載の端末装置において、
前記イベントはコンテンツの視聴の開始を含み、
前記送信手段は、前記コンテンツの視聴に関する属性情報をさらに前記外部装置に送信する端末装置。
【請求項３】
第１のコンテンツの視聴者を特定する視聴者特定手段と、
前記第１のコンテンツの視聴者の端末装置で検知されたニオイの結果に基づき、前記第１のコンテンツの視聴者が所定期間内に嗅いだニオイの傾向を算出するニオイ傾向算出手段と、
を有する解析装置。
【請求項４】
請求項３に記載の解析装置において、
前記ニオイ傾向算出手段は、前記所定期間内に前記第１のコンテンツの視聴者各々が所定のニオイを嗅いだ頻度を算出し、複数の前記第１のコンテンツの視聴者の前記頻度の統計値を、前記第１のコンテンツの視聴者が前記所定期間内に前記所定のニオイを嗅いだ頻度として算出する解析装置。
【請求項５】
請求項４に記載の解析装置において、
一つの軸に第１の属性のニオイを嗅いだ頻度をとり、他の軸に第２の属性のニオイを嗅いだ頻度をとったグラフに、複数のコンテンツ各々の視聴者が前記所定期間内に前記第１の属性及び前記第２の属性のニオイを嗅いだ頻度をマッピングし、出力するマッピング手段をさらに有する解析装置。
【請求項６】
端末装置と解析装置とを有し、
前記端末装置は、
ニオイを検知するニオイ検知手段と、
コンテンツの視聴の開始、及び、閾値以上の強度のニオイの検知の少なくとも一方を含むイベントを検出する検出手段と、
前記イベントの検出に応じて、検知されたニオイを記録する記録手段と、
記録されたニオイを示す情報を外部装置に送信する送信手段と、
を有し、
前記解析装置は、
第１のコンテンツの視聴者を特定する視聴者特定手段と、
前記第１のコンテンツの視聴者の前記端末装置で検知されたニオイの結果に基づき、前記第１のコンテンツの視聴者が所定期間内に嗅いだニオイの傾向を算出するニオイ傾向算出手段と、
を有するシステム。
【請求項７】
少なくともコンテンツに関連付けられているニオイを示すコンテンツ属性情報、及び、前記コンテンツの視聴率またはＣＶＲ（conversion rate）に基づき、前記コンテンツ属性情報と前記視聴率またはＣＶＲとの相関を算出する相関算出手段と、
前記相関と前記コンテンツ属性情報とに基づき前記視聴率またはＣＶＲを推定する推定手段と、
を有する推定装置。
【請求項８】
請求項７に記載の推定装置において、
前記相関算出手段は、前記コンテンツ属性情報と、各コンテンツの視聴者が所定期間内に所定のニオイを嗅いだ頻度と、前記視聴率またはＣＶＲとの相関を算出し、
前記推定手段は、前記相関と、前記コンテンツ属性情報と、各コンテンツの視聴者が所定期間内に所定のニオイを嗅ぐ頻度とに基づき、前記視聴率またはＣＶＲを推定する推定装置。
【請求項９】
請求項７又は８に記載の推定装置において、
前記推定手段の推定結果に基づき、前記視聴率またはＣＶＲを高めることになる前記コンテンツ属性情報の変更案を算出する変更案算出手段をさらに有する推定装置。
【請求項１０】
少なくともコンテンツに関連付けられているニオイを示すコンテンツ属性情報を記憶する属性情報記憶手段と、
ニオイを指定する検索キーを取得する検索キー取得手段と、
前記属性情報記憶手段に記憶された前記コンテンツ属性情報の中から、前記検索キーで指定されるニオイを示す前記コンテンツ属性情報を抽出する検索手段と、
を有する検索装置。
【請求項１１】
コンピュータが、
ニオイを検知するニオイ検知工程と、
コンテンツの視聴の開始、及び、閾値以上の強度のニオイの検知の少なくとも一方を含むイベントを検出する検出工程と、
前記イベントの検出に応じて、検知されたニオイを記録する記録工程と、
記録されたニオイを示す情報を外部装置に送信する送信工程と、
を実行する端末装置の動作方法。
【請求項１２】
コンピュータを、
ニオイを検知するニオイ検知手段、
コンテンツの視聴の開始、及び、閾値以上の強度のニオイの検知の少なくとも一方を含むイベントを検出する検出手段、
前記イベントの検出に応じて、検知されたニオイを記録する記録手段、
記録されたニオイを示す情報を外部装置に送信する送信手段、
として機能させるプログラム。
【発明の詳細な説明】
【技術分野】
【０００１】
本発明は、端末装置、検索装置、解析装置、推定装置、システム、端末装置の動作方法及びプログラムに関する。
【背景技術】
【０００２】
引用文献１は、情報処理装置の筐体外部のニオイ情報をニオイセンサで取得し、データ再生中に受信したニオイ情報が閾値より大きい場合はデータの再生時間を短縮もしくは再生しない情報処理装置が開示されている。
【先行技術文献】
【特許文献】
【０００３】
【特許文献１】特開２０１１−１６０１６０号公報
【発明の概要】
【発明が解決しようとする課題】
【０００４】
本発明は、テレビ、ラジオ、インターネット等の媒体を介してコンテンツを提供するサービスに関連して、ニオイを用いた新たなサービスを提供することを課題とする。
【課題を解決するための手段】
【０００５】
本発明によれば、
ニオイを検知するニオイ検知手段と、
コンテンツの視聴の開始、及び、閾値以上の強度のニオイの検知の少なくとも一方を含むイベントを検出する検出手段と、
前記イベントの検出に応じて、検知されたニオイを記録する記録手段と、
記録されたニオイを示す情報を外部装置に送信する送信手段と、
を有する端末装置が提供される。
【０００６】
また、本発明によれば、
第１のコンテンツの視聴者を特定する視聴者特定手段と、
前記第１のコンテンツの視聴者の端末装置で検知されたニオイの結果に基づき、前記第１のコンテンツの視聴者が所定期間内に嗅いだニオイの傾向を算出するニオイ傾向算出手段と、
を有する解析装置が提供される。
【０００７】
また、本発明によれば、
端末装置と解析装置とを有し、
前記端末装置は、
ニオイを検知するニオイ検知手段と、
コンテンツの視聴の開始、及び、閾値以上の強度のニオイの検知の少なくとも一方を含むイベントを検出する検出手段と、
前記イベントの検出に応じて、検知されたニオイを記録する記録手段と、
記録されたニオイを示す情報を外部装置に送信する送信手段と、
を有し、
前記解析装置は、
第１のコンテンツの視聴者を特定する視聴者特定手段と、
前記第１のコンテンツの視聴者の前記端末装置で検知されたニオイの結果に基づき、前記第１のコンテンツの視聴者が所定期間内に嗅いだニオイの傾向を算出するニオイ傾向算出手段と、
を有するシステムが提供される。
【０００８】
また、本発明によれば、
少なくともコンテンツに関連付けられているニオイを示すコンテンツ属性情報、及び、前記コンテンツの視聴率またはＣＶＲ（conversion rate）に基づき、前記コンテンツ属性情報と前記視聴率またはＣＶＲとの相関を算出する相関算出手段と、
前記相関と前記コンテンツ属性情報とに基づき前記視聴率またはＣＶＲを推定する推定手段と、
を有する推定装置が提供される。
【０００９】
また、本発明によれば、
少なくともコンテンツに関連付けられているニオイを示すコンテンツ属性情報を記憶する属性情報記憶手段と、
ニオイを指定する検索キーを取得する検索キー取得手段と、
前記属性情報記憶手段に記憶された前記コンテンツ属性情報の中から、前記検索キーで指定されるニオイを示す前記コンテンツ属性情報を抽出する検索手段と、
を有する検索装置が提供される。
【００１０】
また、本発明によれば、
コンピュータが、
ニオイを検知するニオイ検知工程と、
コンテンツの視聴の開始、及び、閾値以上の強度のニオイの検知の少なくとも一方を含むイベントを検出する検出工程と、
前記イベントの検出に応じて、検知されたニオイを記録する記録工程と、
記録されたニオイを示す情報を外部装置に送信する送信工程と、
を実行する端末装置の動作方法が提供される。
【００１１】
また、本発明によれば、
コンピュータを、
ニオイを検知するニオイ検知手段、
コンテンツの視聴の開始、及び、閾値以上の強度のニオイの検知の少なくとも一方を含むイベントを検出する検出手段、
前記イベントの検出に応じて、検知されたニオイを記録する記録手段、
記録されたニオイを示す情報を外部装置に送信する送信手段、
として機能させるプログラムが提供される。
【発明の効果】
【００１２】
本発明によれば、テレビ、ラジオ、インターネット等の媒体を介してコンテンツを提供するサービスに関連付けられているニオイを用いた新たなサービスが実現される。
【図面の簡単な説明】
【００１３】
【図１】本実施形態のサービスに関与する主体を説明するための図である。
【図２】本実施形態のニオイ視聴データの一例を模式的に示す図である。
【図３】本実施形態の端末装置の機能ブロック図の一例を示す図である。
【図４】本実施形態のパネル構成データの一例を模式的に示す図である。
【図５】本実施形態の購買データの一例を模式的に示す図である。
【図６】本実施形態のニオイ分類データの一例を模式的に示す図である。
【図７】本実施形態の番組メタデータの一例を模式的に示す図である。
【図８】本実施形態のＣＭ（commercial message）メタデータの一例を模式的に示す図である。
【図９】本実施形態の番組ニオイ詳細メタデータの一例を模式的に示す図である。
【図１０】本実施形態の検索装置の機能ブロック図の一例を示す図である。
【図１１】本実施形態の照合装置の機能ブロック図の一例を示す図である。
【図１２】本実施形態の解析装置の機能ブロック図の一例を示す図である。
【図１３】本実施形態の解析装置の機能ブロック図の一例を示す図である。
【図１４】本実施形態の解析装置により生成される画面の一例を示す図である。
【図１５】本実施形態の解析装置により生成される画面の一例を示す図である。
【図１６】本実施形態の推定装置の機能ブロック図の一例を示す図である。
【図１７】本実施形態の推定装置により生成される画面の一例を示す図である。
【図１８】本実施形態の推定装置の機能ブロック図の一例を示す図である。
【図１９】本実施形態の推定装置により生成される画面の一例を示す図である。
【図２０】本実施形態の装置のハードウエア構成の一例を模式的に示す図である。
【発明を実施するための形態】
【００１４】
＜サービスに関与する主体＞
まず、図１を用いて、本実施形態のサービスに関与する主体を説明する。図示するように、当該サービスに関与する主体は、視聴率パネラー世帯、視聴率調査会社、メタデータ生成会社、コンテンツ制作会社／広告主、分析会社及び一般視聴者を含む。なお、その他の主体を含んでもよい。
【００１５】
コンテンツ制作会社／広告主は、テレビ、ラジオ、インターネット等の媒体を介して視聴者（視聴率パネラー世帯及び一般視聴者を含む）に提供されるコンテンツや、例えば当該コンテンツの合間に流れる広告等を制作する。コンテンツは、テレビやラジオで放送される番組であってもよいし、インターネットを介して提供される動画（以下、「ネット動画」という場合がある）であってもよい。詳細は後述するが、コンテンツ制作会社／広告主は、少なくともコンテンツに関連付けられているニオイを示すメタデータ（コンテンツ属性情報）を生成する。そして、当該コンテンツ属性情報を視聴者に提供する。例えば、電子番組表、データ放送、ウェブサイト、アプリ等を介して、各コンテンツに対応するコンテンツ属性情報を提供する。
【００１６】
メタデータ生成会社は、コンテンツ制作会社／広告主により制作されたコンテンツ各々のメタデータ（コンテンツ属性情報）を生成する。詳細は後述するが、メタデータ生成会社は、少なくともコンテンツに関連付けられているニオイを示すコンテンツ属性情報を生成する。
【００１７】
視聴率パネラー世帯は、テレビ番組の視聴率を測定するための視聴率測定器を備える世帯である。当該世帯の視聴者は、コンテンツ視聴機器（例：テレビ、ラジオ、スマートフォン、タブレット、パーソナルコンピュータ（ＰＣ）等）を用いて、コンテンツを視聴する。詳細は後述するが、視聴率測定器及びコンテンツ視聴機器の少なくとも一方は、ニオイセンサを備えてもよい。そして、所定の条件を満たしたタイミングで検知されたニオイを、所定の主体に送信することができる。
【００１８】
一般視聴者は、視聴率測定器を備えない世帯である。当該世帯の視聴者は、コンテンツ視聴機器（例：テレビ、ラジオ、スマートフォン、タブレット、パーソナルコンピュータ（ＰＣ）等）を用いて、コンテンツを視聴する。詳細は後述するが、コンテンツ視聴機器はニオイセンサを備えてもよい。そして、所定の条件を満たしたタイミングで検知されたニオイを、所定の主体に送信することができる。
【００１９】
視聴率調査会社は、視聴率測定器の測定データを処理し、視聴率を算出する。
【００２０】
分析会社は、ニオイと視聴率の相関等を解析する。詳細は後述する。
【００２１】
＜サービスで利用される各種データ＞
次に、本実施形態のサービスで利用される各種データ及びその生成方法を説明する。
【００２２】
「ニオイ視聴データ」
図２のニオイ視聴データは、視聴率調査会社または分析会社に属する装置に蓄積されるデータである。ニオイセンサを備える端末装置が、検知したニオイを含むログデータを、視聴率調査会社または分析会社に属する装置に送信する。視聴率調査会社または分析会社に属する装置は、受信したログデータをそのまま、又は、情報を付加して蓄積する。ニオイセンサを備える端末装置は、例えば視聴率測定器であってもよいし、コンテンツ視聴機器であってもよい。
【００２３】
図３に、端末装置１０の機能ブロック図の一例を示す。図示するように、端末装置１０は、検出部１１と、ニオイ検知部１２と、記録部１３と、送信部１４とを有する。
【００２４】
ニオイ検知部１２は、ニオイセンサを備え、ニオイを検知する。ニオイセンサは、例えば硫化水素、硫黄系、アンモニア系、アミン系、有機酸系、アルデヒド系、エステル系、芳香族系、炭化水素系等の各種ニオイの強度を検知することができる。ニオイセンサは、従来技術に準じて実現できる。
【００２５】
検出部１１は、コンテンツの視聴の開始、及び、閾値以上の強度のニオイの検知の少なくとも一方を含む開始イベントを検出する。また、検出部１１は、コンテンツの視聴の終了、及び、閾値以上の強度のニオイの検知の解消（すなわち、閾値以上の強度のニオイが検知されなくなったこと）の少なくとも一方を含む終了イベントをさらに検出してもよい。コンテンツの視聴の開始及び終了は、コンテンツ視聴機器に対するユーザの操作や、コンテンツ視聴機器の状態に基づき検出できる。閾値以上の強度のニオイの検知や当該検知の解消の検出は、ニオイ検知部１２による検知結果に基づき実現できる。
【００２６】
記録部１３は、検出部１１による上記開始イベントの検出に応じて、ニオイ検知部１２により検知されたニオイを記録する。記録されるデータは、ニオイ検知部１２により検知された各種ニオイの強度である。検知されたニオイを検知された日時に対応付けて記録してもよい。
【００２７】
例えば、記録部１３は、検出部１１による上記開始イベントの検出に応じてニオイの記録を開始し、その後、検出部１１による上記終了イベント（開始イベントがコンテンツの視聴の開始の場合は、コンテンツの視聴の終了。開始イベントが閾値以上の強度のニオイの検知の場合は、閾値以上の強度のニオイの検知の解消。）の検出まで記録を継続してもよい。すなわち、記録部１３は、検出部１１による上記終了イベントの検出に応じてニオイの記録を終了してもよい。記録部１３は、記録を継続している間、所定時間毎のニオイの検知結果を記録することができる。また、記録部１３は、検知されたニオイを検知された日時に対応付けて記録することができる。
【００２８】
送信部１４は、記録部１３により記録されたニオイを示す情報を外部装置（視聴率調査会社または分析会社に属する装置）に送信する。送信部１４は、リアルタイム処理で記録部１３により記録されたデータを外部装置に送信してもよいし、バッチ処理で記録部１３により記録されたデータを外部装置に送信してもよい。バッチ処理の場合の送信タイミングは設計的事項である。
【００２９】
なお、検出部１１は、コンテンツの視聴の開始を開始イベントとして検出する場合、当該コンテンツの視聴に関する属性情報をさらに検出してもよい。そして、送信部１４は、コンテンツの視聴に関する属性情報をさらに外部装置に送信してもよい。
【００３０】
コンテンツの視聴に関する属性情報は、視聴しているコンテンツを識別する情報、視聴に利用しているコンテンツ視聴機器（自機、または、自機に接続されているコンテンツ視聴器）の種類（例：テレビ、スマートフォン、タブレット等）を示す情報、視聴している位置を示す情報、視聴方法、視聴しているユーザを識別する情報等が例示されるがこれらに限定されない。
【００３１】
視聴している位置を示す情報は、端末装置１０が据置型の装置（例：視聴率測定器等）である場合、予め登録された設置位置が端末装置１０に登録されており、その情報がコンテンツの視聴に関する属性情報として検出部１１に取得される。端末装置１０が可搬型の装置（例：スマートフォン、タブレット等）である場合、端末装置１０は位置情報取得手段を有し、当該位置情報取得手段で取得された位置情報がコンテンツの視聴に関する属性情報として検出部１１に取得される。位置情報取得手段は、例えばＧＰＳ（global positioning system）を利用して位置情報を取得してもよいし、その他の手段で位置情報を取得してもよい。
【００３２】
視聴方法は、リアルタイム視聴（テレビやラジオで放送中にリアルタイムに視聴）、タイムシフト視聴（テレビやラジオで放送中に時間差で視聴）、見逃し視聴（テレビやラジオで放送終了後に視聴）、ネット同時配信視聴（テレビやラジオで放送中にインターネット経由で取得した放送中の番組を視聴）、ネット動画の視聴等である。検出部１１は、コンテンツ視聴機器に対するユーザの操作や、コンテンツ視聴機器の状態に基づき視聴方法を検出できる。
【００３３】
視聴者の特定は、例えば次のようにして実現できる。スマートフォン、タブレット等の専用のコンテンツ視聴機器で視聴される場合は、当該コンテンツ視聴機器に予め視聴状況調査のための所定のアプリをインストールさせておき、そこにコンテンツ視聴機器の所有者（パネルＩＤ）を登録させておく。当該登録情報に基づき、コンテンツを視聴している視聴者を特定できる（パネルＩＤを特定できる）。
【００３４】
テレビ等の共有のコンテンツ視聴機器で視聴される場合は、テレビを視聴する視聴者ごとのパネルＩＤを視聴率測定器やコンテンツ視聴機器に登録しておき、視聴者は、テレビを視聴する際に、リモコンのボタンなどで、どの視聴者かを通知する。視聴率測定器やコンテンツ視聴機器は、通知内容に基づき、各コンテンツを視聴している視聴者を特定する（すなわち、パネルＩＤを特定する）。なお、テレビを視聴していない間に検知されたニオイは、登録されているパネルＩＤのすべてについてニオイを検知したとみなしてもよいし、所定のパネルＩＤについてニオイを検知したとみなしてもよい。所定のパネルＩＤとは、例えば、最後に特定された視聴者のパネルＩＤとしてもよい。
【００３５】
なお、検出部１１は、閾値以上の強度のニオイが検知された場合に、その位置を示す情報を検出してもよい。位置の検出方法は、上記と同様である。そして、送信部１４は、当該位置情報を、さらに外部装置に送信してもよい。
【００３６】
ここで、図２に示すニオイ視聴データの各項目を説明する。開始日時は、「コンテンツの視聴を開始した日時」または「閾値以上の強度のニオイが検知された日時」を示す。
【００３７】
終了日時は、「コンテンツの視聴を終了した日時」または「閾値以上の強度のニオイの検知が解消された日時」を示す。
【００３８】
都道府県コードは、「コンテンツを視聴している位置」または「閾値以上の強度のニオイが検知された位置」の都道府県コードを示す。
【００３９】
チャンネルＩＤ（identifier）は、放送チャンネルを示す。なお、チャンネルＩＤにより、テレビコンテンツ、ラジオコンテンツ、ネット動画等のコンテンツの種類がさらに示されてもよい。
【００４０】
デバイスは、コンテンツの視聴に利用しているコンテンツ視聴機器の種類を示す。
【００４１】
位置情報は、「コンテンツを視聴している位置」または「閾値以上の強度のニオイが検知された位置」を示す。予め視聴者毎に登録されている自宅位置及び通勤ルートや、地図情報等を用いて、ＧＰＳで取得された緯度・経度情報を、図示するような情報に変換できる。
【００４２】
リアタイ視聴（リアルタイム視聴）、タイムシフト視聴、見逃し視聴、ネット同時配信視聴は、コンテンツの視聴方法を示す。
【００４３】
番組ＩＤは、視聴されているコンテンツの番組ＩＤを示す。
【００４４】
ＣＭＩＤは、視聴されているコンテンツの合間に流れるＣＭのＣＭＩＤを示す。
【００４５】
ニオイＩＤは、検知されたニオイ成分に対応するニオイの識別情報を示す。以下で説明するニオイ分類データを用いて、検知されたニオイ成分がニオイＩＤに変換される。
【００４６】
ニオイ成分は、検知されたニオイ成分であり、各種ニオイの強度を示す。
【００４７】
パネルＩＤは、コンテンツを視聴している視聴者を世帯内で識別する情報である。
【００４８】
世帯ＩＤは、複数の世帯各々を識別する情報である。
【００４９】
なお、図２に示す例では、「コンテンツの視聴を開始した日時」から「コンテンツの視聴を終了した日時」までの間、また、「閾値以上の強度のニオイが検知された日時」から「閾値以上の強度のニオイの検知が解消された日時」までの間、同じニオイが継続して検知されている場合を示している。これらの間に、異なるニオイが時間差で検知された場合、検知されたニオイの変遷が各ニオイの検知が開始された日時及び終了した日時と共に記録されてもよい。
【００５０】
「パネル構成データ」
図４に示すパネル構成データは、視聴率調査会社または分析会社に属する装置に蓄積されるデータである。予め、視聴者がパネル構成データに含まれる各種情報を、視聴率調査会社または分析会社に申告する。結果、視聴率調査会社または分析会社に属する装置に、図４に示すようなパネル構成データが蓄積される。
【００５１】
世帯ＩＤは、複数の世帯各々を識別する情報である。
【００５２】
パネルＩＤは、各世帯に含まれる複数の視聴者（パネラー）各々を識別する情報である。
【００５３】
性別、生年月日、年齢、未既婚（結婚しているか否か）、子供有無（子供がいるか否か）、職業、自宅位置及び職場位置は、各視聴者に関する情報である。
【００５４】
「購買データ」
図５に示す購買データは、視聴率調査会社または分析会社に属する装置に蓄積されるデータである。例えば、各パネラーがスマートフォン、タブレット、ＰＣ等の装置を操作して、図示するような購買データを入力してもよい。そして、入力されたデータが視聴率調査会社または分析会社に属する装置に送信され、蓄積されてもよい。その他、電子マネーの利用ログデータやポイントカードのログデータが、電子マネーやポイントカードを管理する会社から視聴率調査会社または分析会社に提供されてもよい。
【００５５】
「ニオイ分類データ」
図６に示すニオイ分類データは、ニオイ成分とニオイ名及びニオイＩＤとを対応付けるデータである。規格化され、本実施形態のサービスに関与するあらゆる主体が利用可能になっている。なお、各ニオイのニオイ成分は、幅を持たせて定義されてもよい。すなわち、あるニオイのニオイ成分を「硫化水素１５、硫黄１２、アンモニア４」のように一義的に定義するのでなく、「硫化水素１４以上１６以下、硫黄１２、アンモニア３以上５以下」のように幅を持たせて定義してもよい。
【００５６】
「番組メタデータ」
図７に示す番組メタデータは、メタデータ生成会社により生成されるデータであり、コンテンツの属性を示す。図示する例は、テレビの番組メタデータ（コンテンツ属性情報）の一例であり、番組に含まれる複数のコーナ各々の開始日時及び終了日時、番組ＩＤ、番組名、放送局、各コーナのヘッドライン、ＭＥＭＯ（各コーナの概要）、出演タレント、ＢＧＭ（background music）、各コーナに関連付けられているニオイ名を含む。その他の情報を含んでもよい。ニオイ名は、各コーナを視聴している視聴者に想起させると考えられるニオイである。例えば、番組内で醤油ラーメンを紹介している場合、ニオイ名として醤油ラーメンが登録されてもよい。
【００５７】
なお、ラジオの番組メタデータもテレビの番組メタデータと同様な内容を含むことができる。また、ネット動画の番組メタデータは、番組アップロード日時、コンテンツ長さ、番組ＩＤ、番組名、ヘッドライン、ＭＥＭＯ（概要）、出演タレント、ＢＧＭ、関連付けられているニオイ名等を含んでもよい。
【００５８】
「ＣＭメタデータ」
図８に示すＣＭメタデータは、メタデータ生成会社により生成されるデータであり、広告の属性を示す。図示する例は、テレビで放送される広告のＣＭメタデータ（コンテンツ属性情報）の一例であり、放送開始日時、コンテンツ長さ、放送局、ＣＭＩＤ、宣伝する商品の分類（大分類、中分類、小分類）、広告主（会社名）、宣伝する商品の名称（商品名）、出演タレント、ＢＧＭ、関連付けられているニオイ名を含む。その他の情報を含んでもよい。ニオイ名は、各広告を視聴している視聴者に想起させると考えられるニオイである。例えば、海で撮影された広告の場合、ニオイ名として海が登録されてもよい。
【００５９】
なお、ラジオで放送される広告のＣＭメタデータもテレビで放送される広告のＣＭメタデータと同様な内容を含むことができる。また、ネット動画の合間に放送される広告のＣＭメタデータは、コンテンツ長さ、番組ＩＤ、番組名、ＣＭＩＤ、宣伝する商品の分類（大分類、中分類、小分類）、広告主（会社名）、宣伝する商品の名称（商品名）、出演タレント、ＢＧＭ、関連付けられているニオイ名等を含んでもよい。
【００６０】
「番組ニオイ詳細メタデータ」
図９に示す番組ニオイ詳細メタデータは、コンテンツ制作会社／広告主により生成されるデータであり、コンテンツや広告の属性を示す。図示する例は、テレビの番組ニオイ詳細メタデータ（コンテンツ属性情報）の一例であり、番組に含まれる複数のコーナ各々の開始日時及び終了日時、番組ＩＤ、番組名、放送局、各コーナのヘッドライン、出演タレント、ＢＧＭ、各コーナを撮影時に現場にあるニオイセンサで検知されたニオイ成分、検知されたニオイ成分に対応するニオイ名、ニオイを検知した場所を含む。その他の情報を含んでもよい。
【００６１】
なお、ラジオの番組ニオイ詳細メタデータもテレビの番組ニオイ詳細メタデータと同様な内容を含むことができる。また、ネット動画の番組ニオイ詳細メタデータは、番組アップロード日時、コンテンツ長さ、番組ＩＤ、番組名、ヘッドライン、出演タレント、ＢＧＭ、各コーナを撮影時に現場で検知されたニオイ成分、検知されたニオイ成分に対応するニオイ名、ニオイを検知した場所を含んでもよい。
【００６２】
＜提供されるサービス＞
次に、上述のような各種データを用いて提供されるサービスを説明する。
【００６３】
「コンテンツ検索サービス」
当該サービスでは、ニオイをキーとしてコンテンツを検索する。図１０に、当該サービスを実現する検索装置２０の機能ブロック図の一例を示す。検索装置２０は、属性情報記憶部２１と、検索キー取得部２２と、検索部２３とを有する。例えば、検索装置２０はサーバであり、クライアント端末からの要求に応じて検索処理を実行してもよい。その他、検索装置２０はユーザに操作される装置であってもよい。
【００６４】
属性情報記憶部２１は、少なくともコンテンツに関連付けられているニオイを示すコンテンツ属性情報を記憶する。属性情報記憶部２１は、図７に示す番組メタデータ、図８に示すＣＭメタデータ、及び、図９に示す番組ニオイ詳細メタデータの中の少なくとも１種類のデータを記憶する。
【００６５】
検索キー取得部２２は、ニオイを指定する検索キーを取得する。検索キーは、図６に示すニオイＩＤであってもよいし、ニオイ名であってもよいし、ニオイ成分（各種ニオイの強度）であってもよい。検索キー取得部２２は、例えばこのような検索キーを直接指定する入力を受付けてもよい。その他、検索キー取得部２２は、視聴者の嗜好に合ったコンテンツに関連付けられているニオイ（ニオイＩＤ、ニオイ成分、ニオイ名等）を、検索キーとして取得してもよい。視聴者の嗜好に合ったコンテンツは、例えば過去の視聴履歴等に基づき算出される。その他、予め、場所情報とニオイ（ニオイＩＤ、ニオイ成分、ニオイ名等）とを対応付けた場所ごとニオイ情報が予め生成され、検索キー取得部２２に保持させておいてもよい。そして、検索キー取得部２２は、場所を指定する入力をユーザから受付けてもよい。この場合、検索キー取得部２２は、場所ごとニオイ情報を用いて、ユーザにより指定された場所の情報をニオイ（ニオイＩＤ、ニオイ成分、ニオイ名等）に変換し、そのニオイ（ニオイＩＤ、ニオイ成分、ニオイ名等）を検索キーとして取得する。
【００６６】
検索部２３は、属性情報記憶部２１に記憶されたコンテンツ属性情報の中から、検索キーで指定されるニオイを示すコンテンツ属性情報を抽出する。なお、検索部２３は、図６に示すニオイ分類データを用いて、検索キーとして取得したニオイＩＤ、ニオイ名、またはニオイ成分を他の情報に変換し、変換後の検索キーを用いて検索処理を実行してもよい。
【００６７】
ニオイＩＤ及びニオイ名を検索キーとして検索する場合、検索部２３は、検索キーと完全一致するニオイを示すコンテンツ属性情報を抽出してもよい。一方、ニオイ成分を検索キーとして検索する場合は、検索部２３は、所定のルール（設計的事項）で算出した検索キーとの類似度が基準値以上のニオイを示すコンテンツ属性情報を抽出してもよい。
【００６８】
検索部２３により抽出されたコンテンツ属性情報の中の少なくとも一部は、検索結果として出力される。例えば、番組名、放送局、放送開始日時及び終了日時、ヘッドライン、ＭＥＭＯ、出演タレント、ＢＧＭ等の情報が出力されてもよい。その他、広告主の会社名、商品名、出演タレント、ＢＧＭ等の情報が出力されてもよい。
【００６９】
上述のような検索装置２０は、メタデータ生成会社に属してもよいし、コンテンツ制作会社／広告主に属してもよいし、その他の主体に属してもよい。例えば、電子番組表を提供する主体、ネット動画を提供する主体、コンテンツ検索サービスをウェブサイトやアプリを介して提供する主体等に、検索装置２０が属してもよい。
【００７０】
以下、当該サービスの具体例を説明するが、これらに限定されない。
【００７１】
（１） コンテンツ検索サービス：グルメ篇
当該サービスでは、ニオイを検索キーとして、例えば、食べ物を扱うコンテンツ、より具体的には料理方法や飲食店等を紹介するコンテンツを検索することができる。
【００７２】
当該コンテンツを制作したコンテンツ制作会社／広告主は、図９に示すような情報を含む番組ニオイ詳細メタデータ（コンテンツ属性情報）を生成する。結果、コンテンツで紹介された食べ物のニオイ成分、ニオイ名、ニオイの場所等を含む番組ニオイ詳細メタデータが生成される。また、メタデータ生成会社は、図７に示すような情報を含む番組メタデータ（コンテンツ属性情報）を生成する。結果、コンテンツから視聴者に想起させるニオイ名等を含む番組メタデータが生成される。また、メタデータ生成会社は、図８に示すような情報を含むＣＭメタデータ（コンテンツ属性情報）を生成する。結果、コンテンツから視聴者に想起させるニオイ名等を含むＣＭメタデータが生成される。これらコンテンツ属性情報は、コンテンツ検索サービスを提供する主体の記憶装置に蓄積される。
【００７３】
（１−１）テレビを介した検索
当該例では、テレビに送信される電子番組表の中に、各番組に対応してコンテンツ属性情報が含まれる。そして、テレビが検索装置２０として機能する。
【００７４】
ユーザは、テレビを操作し、検索キーとして、ニオイＩＤまたはニオイ名（例：カレー）を指定する入力を行う。その他、テレビは、ニオイセンサを有してもよい。そして、ユーザは、ニオイセンサで所定のニオイ（例：カレーのニオイ）検知させることで、検索キーとしてニオイ成分を入力してもよい。
【００７５】
その後、テレビは、検索キーで示されるニオイをコンテンツ属性情報の中に含むコンテンツを検索し、検索したコンテンツをディスプレイに表示する。例えば、番組名、放送局、放送開始日時及び終了日時、ヘッドライン、ＭＥＭＯ、出演タレント、ＢＧＭ等の情報がディスプレイに表示されてもよい。その他、検索結果として図９に示す番組ニオイ詳細メタデータのニオイの場所を表示してもよい。ニオイの場所を提供することで、そのニオイの料理等を食べられる飲食店の場所をさらに提供することができる。
【００７６】
検索結果のコンテンツの中からユーザが１つを指定して、コンテンツの視聴を開始すると、新たなニオイ視聴データ（図２参照）が記録されてもよい。
【００７７】
（１−２）アプリやウェブサイトを介した検索
当該例では、アプリやウェブサイトでコンテンツ検索サービスが提供される。サーバが検索装置２０として機能する。例えば、アプリやウェブサイトで電子番組表が提供されてもよい。そして、当該電子番組表に付属したサービスとして、コンテンツ検索サービスが存在してもよい。その他、電子番組表と分離して、コンテンツ検索サービスが提供されてもよい。
【００７８】
ユーザは、スマートフォン、タブレット、ＰＣ等の装置を操作し、コンテンツ検索画面をディスプレイに表示させる。そして、ユーザは、検索キーとして、ニオイＩＤまたはニオイ名（例：カレー）を指定する入力を行う。その他、スマートフォン、タブレット、ＰＣ等の装置は、ニオイセンサを有してもよい。そして、ユーザは、ニオイセンサで所定のニオイ（例：カレーのニオイ）検知させることで、検索キーとしてニオイ成分を入力してもよい。
【００７９】
その後、スマートフォン、タブレット、ＰＣ等の装置は、検索キーをサーバ（検索装置２０）に送信する。サーバは、受信した検索キーで示されるニオイをコンテンツ属性情報の中に含むコンテンツを検索し、検索したコンテンツを示す検索結果を返信する。そして、スマートフォン、タブレット、ＰＣ等の装置は、受信した検索結果をディスプレイに表示する。例えば、番組名、放送局、放送開始日時及び終了日時、ヘッドライン、ＭＥＭＯ、出演タレント、ＢＧＭ等の情報がディスプレイに表示されてもよい。その他、検索結果として図９に示す番組ニオイ詳細メタデータのニオイの場所を表示してもよい。ニオイの場所を提供することで、そのニオイの料理等を食べられる飲食店の場所をさらに提供することができる。
【００８０】
検索結果のコンテンツの中からユーザが１つを指定して、コンテンツの視聴を開始すると、新たなニオイ視聴データ（図２参照）が記録されてもよい。
【００８１】
（２） コンテンツ検索サービス：ロケ地篇
当該サービスでは、ニオイを検索キーとして、所定のロケ地で撮影されたコンテンツを検索することができる。
【００８２】
当該コンテンツを制作したコンテンツ制作会社／広告主は、図９に示すような情報を含む番組ニオイ詳細メタデータ（コンテンツ属性情報）を生成する。結果、コンテンツを撮影した場所のニオイ成分、ニオイ名、ニオイの場所等を含む番組ニオイ詳細メタデータが生成される。また、メタデータ生成会社は、図７に示すような情報を含む番組メタデータ（コンテンツ属性情報）を生成する。結果、コンテンツから視聴者に想起させるニオイ名等を含む番組メタデータが生成される。また、メタデータ生成会社は、図８に示すような情報を含むＣＭメタデータ（コンテンツ属性情報）を生成する。結果、コンテンツから視聴者に想起させるニオイ名等を含むＣＭメタデータが生成される。これらコンテンツ属性情報は、コンテンツ検索サービスを提供する主体の記憶装置に蓄積される。
【００８３】
（２−１）テレビを介した検索
当該例では、テレビに送信される電子番組表の中に、各番組に対応してコンテンツ属性情報が含まれる。そして、テレビが検索装置２０として機能する。
【００８４】
ユーザは、テレビを操作し、検索キーとして、ニオイＩＤまたはニオイ名（例：桜）を指定する入力を行う。その他、テレビは、ニオイセンサを有してもよい。そして、ユーザは、ニオイセンサで所定のニオイ（例：桜のニオイ）検知させることで、検索キーとしてニオイ成分を入力してもよい。
【００８５】
その後、テレビは、検索キーで示されるニオイをコンテンツ属性情報の中に含むコンテンツを検索し、検索したコンテンツをディスプレイに表示する。例えば、番組名、放送局、放送開始日時及び終了日時、ヘッドライン、ＭＥＭＯ、出演タレント、ＢＧＭ等の情報がディスプレイに表示されてもよい。その他、検索結果として図９に示す番組ニオイ詳細メタデータのニオイの場所を表示してもよい。ニオイの場所を提供することで、ロケ地の詳細情報をさらに提供することができる。
【００８６】
検索結果のコンテンツの中からユーザが１つを指定して、コンテンツの視聴を開始すると、新たなニオイ視聴データ（図２参照）が記録されてもよい。
【００８７】
（２−２）アプリやウェブサイトを介した検索
当該例では、アプリやウェブサイトでコンテンツ検索サービスが提供される。サーバが検索装置２０として機能する。例えば、アプリやウェブサイトで電子番組表が提供されてもよい。そして、当該電子番組表に付属したサービスとして、コンテンツ検索サービスが存在してもよい。その他、電子番組表と分離して、コンテンツ検索サービスが提供されてもよい。
【００８８】
ユーザは、スマートフォン、タブレット、ＰＣ等の装置を操作し、コンテンツ検索画面をディスプレイに表示させる。そして、ユーザは、検索キーとして、ニオイＩＤまたはニオイ名（例：桜）を指定する入力を行う。その他、スマートフォン、タブレット、ＰＣ等の装置は、ニオイセンサを有してもよい。そして、ユーザは、ニオイセンサで所定のニオイ（例：桜のニオイ）検知させることで、検索キーとしてニオイ成分を入力してもよい。
【００８９】
その後、スマートフォン、タブレット、ＰＣ等の装置は、検索キーをサーバ（検索装置２０）に送信する。サーバは、受信した検索キーで示されるニオイをコンテンツ属性情報の中に含むコンテンツを検索し、検索したコンテンツを示す検索結果を返信する。そして、スマートフォン、タブレット、ＰＣ等の装置は、受信した検索結果をディスプレイに表示する。例えば、番組名、放送局、放送開始日時及び終了日時、ヘッドライン、ＭＥＭＯ、出演タレント、ＢＧＭ等の情報がディスプレイに表示されてもよい。その他、検索結果として図９に示す番組ニオイ詳細メタデータのニオイの場所を表示してもよい。ニオイの場所を提供することで、ロケ地の詳細情報をさらに提供することができる。
【００９０】
検索結果のコンテンツの中からユーザが１つを指定して、コンテンツの視聴を開始すると、新たなニオイ視聴データ（図２参照）が記録されてもよい。
【００９１】
（３） コンテンツ検索サービス：動物篇
当該サービスでは、ニオイを検索キーとして、動物が登場するコンテンツを検索することができる。
【００９２】
当該コンテンツを制作したコンテンツ制作会社／広告主は、図９に示すような情報を含む番組ニオイ詳細メタデータ（コンテンツ属性情報）を生成する。結果、コンテンツに登場した動物のニオイ成分、ニオイ名、ニオイの場所等を含む番組ニオイ詳細メタデータが生成される。また、メタデータ生成会社は、図７に示すような情報を含む番組メタデータ（コンテンツ属性情報）を生成する。結果、コンテンツから視聴者に想起させるニオイ名等を含む番組メタデータが生成される。また、メタデータ生成会社は、図８に示すような情報を含むＣＭメタデータ（コンテンツ属性情報）を生成する。結果、コンテンツから視聴者に想起させるニオイ名等を含むＣＭメタデータが生成される。これらコンテンツ属性情報は、コンテンツ検索サービスを提供する主体の記憶装置に蓄積される。
【００９３】
（３−１）テレビを介した検索
当該例では、テレビに送信される電子番組表の中に、各番組に対応してコンテンツ属性情報が含まれる。そして、テレビが検索装置２０として機能する。
【００９４】
ユーザは、テレビを操作し、検索キーとして、ニオイＩＤまたはニオイ名（例：犬）を指定する入力を行う。その他、テレビは、ニオイセンサを有してもよい。そして、ユーザは、ニオイセンサで所定のニオイ（例：犬のニオイ）検知させることで、検索キーとしてニオイ成分を入力してもよい。
【００９５】
その後、テレビは、検索キーで示されるニオイをコンテンツ属性情報の中に含むコンテンツを検索し、検索したコンテンツをディスプレイに表示する。例えば、番組名、放送局、放送開始日時及び終了日時、ヘッドライン、ＭＥＭＯ、出演タレント、ＢＧＭ等の情報がディスプレイに表示されてもよい。その他、検索結果として図９に示す番組ニオイ詳細メタデータのニオイの場所を表示してもよい。ニオイの場所を提供することで、動物を撮影したロケ地の詳細情報をさらに提供することができる。
【００９６】
検索結果のコンテンツの中からユーザが１つを指定して、コンテンツの視聴を開始すると、新たなニオイ視聴データ（図２参照）が記録されてもよい。
【００９７】
（３−２）アプリやウェブサイトを介した検索
当該例では、アプリやウェブサイトでコンテンツ検索サービスが提供される。サーバが検索装置２０として機能する。例えば、アプリやウェブサイトで電子番組表が提供されてもよい。そして、当該電子番組表に付属したサービスとして、コンテンツ検索サービスが存在してもよい。その他、電子番組表と分離して、コンテンツ検索サービスが存在してもよい。
【００９８】
ユーザは、スマートフォン、タブレット、ＰＣ等の装置を操作し、コンテンツ検索画面をディスプレイに表示させる。そして、ユーザは、検索キーとして、ニオイＩＤまたはニオイ名（例：犬）を指定する入力を行う。その他、スマートフォン、タブレット、ＰＣ等の装置は、ニオイセンサを有してもよい。そして、ユーザは、ニオイセンサで所定のニオイ（例：犬のニオイ）検知させることで、検索キーとしてニオイ成分を入力してもよい。
【００９９】
その後、スマートフォン、タブレット、ＰＣ等の装置は、検索キーをサーバ（検索装置２０）に送信する。サーバは、受信した検索キーで示されるニオイをコンテンツ属性情報の中に含むコンテンツを検索し、検索したコンテンツを示す検索結果を返信する。そして、スマートフォン、タブレット、ＰＣ等の装置は、受信した検索結果をディスプレイに表示する。例えば、番組名、放送局、放送開始日時及び終了日時、ヘッドライン、ＭＥＭＯ、出演タレント、ＢＧＭ等の情報がディスプレイに表示されてもよい。その他、検索結果として図９に示す番組ニオイ詳細メタデータのニオイの場所を表示してもよい。ニオイの場所を提供することで、動物を撮影したロケ地の詳細情報をさらに提供することができる。
【０１００】
検索結果のコンテンツの中からユーザが１つを指定して、コンテンツの視聴を開始すると、新たなニオイ視聴データ（図２参照）が記録されてもよい。
【０１０１】
（４） コンテンツ検索サービス：バーチャル篇
当該サービスでは、ニオイを検索キーとして、所定の架空のキャラクターが登場するコンテンツを検索することができる。なお、架空のキャラクター各々は、固有のニオイを有するものと、キャラ設定される。
【０１０２】
当該コンテンツを制作したコンテンツ制作会社／広告主は、図９に示すような情報を含む番組ニオイ詳細メタデータ（コンテンツ属性情報）を生成する。結果、コンテンツに登場した架空のキャラクターのニオイ成分、ニオイ名、ニオイの場所等を含む番組ニオイ詳細メタデータが生成される。また、メタデータ生成会社は、図７に示すような情報を含む番組メタデータ（コンテンツ属性情報）を生成する。結果、コンテンツから視聴者に想起させるニオイ名等を含む番組メタデータが生成される。また、メタデータ生成会社は、図８に示すような情報を含むＣＭメタデータ（コンテンツ属性情報）を生成する。結果、コンテンツから視聴者に想起させるニオイ名等を含むＣＭメタデータが生成される。これらコンテンツ属性情報は、コンテンツ検索サービスを提供する主体の記憶装置に蓄積される。
【０１０３】
（４−１）テレビを介した検索
当該例では、テレビに送信される電子番組表の中に、各番組に対応してコンテンツ属性情報が含まれる。そして、テレビが検索装置２０として機能する。
【０１０４】
ユーザは、テレビを操作し、検索キーとして、ニオイＩＤまたはニオイ名（例：キャラクターＡのニオイ名、例えばバラ）を指定する入力を行う。その他、テレビは、ニオイセンサを有してもよい。そして、ユーザは、ニオイセンサで所定のニオイ（例：キャラクターＡのニオイ、例えばバラのニオイ）検知させることで、検索キーとしてニオイ成分を入力してもよい。
【０１０５】
その後、テレビは、検索キーで示されるニオイをコンテンツ属性情報の中に含むコンテンツを検索し、検索したコンテンツをディスプレイに表示する。例えば、番組名、放送局、放送開始日時及び終了日時、ヘッドライン、ＭＥＭＯ、出演タレント、ＢＧＭ等の情報がディスプレイに表示されてもよい。
【０１０６】
検索結果のコンテンツの中からユーザが１つを指定して、コンテンツの視聴を開始すると、新たなニオイ視聴データ（図２参照）が記録されてもよい。
【０１０７】
（４−２）アプリやウェブサイトを介した検索
当該例では、アプリやウェブサイトでコンテンツ検索サービスが提供される。サーバが検索装置２０として機能する。例えば、アプリやウェブサイトで電子番組表が提供されてもよい。そして、当該電子番組表に付属したサービスとして、コンテンツ検索サービスが存在してもよい。その他、電子番組表と分離して、コンテンツ検索サービスが存在してもよい。
【０１０８】
ユーザは、スマートフォン、タブレット、ＰＣ等の装置を操作し、コンテンツ検索画面をディスプレイに表示させる。そして、ユーザは、検索キーとして、ニオイＩＤまたはニオイ名（例：キャラクターＡのニオイ名、例えばバラ）を指定する入力を行う。その他、スマートフォン、タブレット、ＰＣ等の装置は、ニオイセンサを有してもよい。そして、ユーザは、ニオイセンサで所定のニオイ（例：キャラクターＡのニオイ、例えばバラのニオイ）を検知させることで、検索キーとしてニオイ成分を入力してもよい。
【０１０９】
その後、スマートフォン、タブレット、ＰＣ等の装置は、検索キーをサーバ（検索装置２０）に送信する。サーバは、受信した検索キーで示されるニオイをコンテンツ属性情報の中に含むコンテンツを検索し、検索したコンテンツを示す検索結果を返信する。そして、スマートフォン、タブレット、ＰＣ等の装置は、受信した検索結果をディスプレイに表示する。例えば、番組名、放送局、放送開始日時及び終了日時、ヘッドライン、ＭＥＭＯ、出演タレント、ＢＧＭ等の情報がディスプレイに表示されてもよい。
【０１１０】
検索結果のコンテンツの中からユーザが１つを指定して、コンテンツの視聴を開始すると、新たなニオイ視聴データ（図２参照）が記録されてもよい。
【０１１１】
「照合サービス」
当該サービスでは、コンテンツ属性情報で示されるニオイ成分と、ユーザにより入力されたニオイ成分とが照合され、類似度が算出される。図１１に、当該サービスを実現する照合装置３０の機能ブロック図の一例を示す。照合装置３０は、属性情報記憶部３１と、ニオイ情報取得部３２と、類似度算出部３３と、出力部３４とを有する。例えば、照合装置３０はサーバであり、クライアント端末からの要求に応じて照合処理を実行してもよい。その他、照合装置３０はユーザに操作される装置であってもよい。なお、検索装置２０と照合装置３０とは同じ装置であってもよい。すなわち、ある装置が検索装置２０の機能と照合装置３０の機能の両方を備えてもよい。
【０１１２】
属性情報記憶部３１は、少なくともコンテンツに関連付けられているニオイを示すコンテンツ属性情報を記憶する。属性情報記憶部３１は、図９に示す番組ニオイ詳細メタデータを記憶する。
【０１１３】
ニオイ情報取得部３２は、ニオイセンサで検知されたニオイを示すニオイ情報（ニオイ成分）を取得する。また、ニオイ情報取得部３２は、ユーザにより入力された照合対象を指定する情報を取得する。図９に示す番組ニオイ詳細メタデータの場合、例えば、放送日、番組名（例：情報ＴＶ）、ヘッドライン（例：今日の料理）、ニオイ名（例：酢豚）を指定することで、照合対象（例：酢豚のニオイ成分）が指定される。
【０１１４】
類似度算出部３３は、コンテンツ属性情報で示されるニオイ（照合対象として指定されたニオイ成分）と、ニオイ情報で示されるニオイ成分との類似度を、所定のルール（設計的事項）に従い算出する。
【０１１５】
出力部３４は、類似度算出部３３により算出された類似度を出力する。
【０１１６】
以下、当該サービスの具体例を説明するが、これに限定されない。
【０１１７】
（５） 照合サービス：料理篇
当該コンテンツを制作したコンテンツ制作会社／広告主は、図９に示すような情報を含む番組ニオイ詳細メタデータ（コンテンツ属性情報）を生成する。結果、コンテンツで紹介された料理のニオイ成分、ニオイ名等を含む番組ニオイ詳細メタデータが生成される。コンテンツ属性情報は、照合サービスを提供する主体の記憶装置に蓄積される。
【０１１８】
（５−１）テレビを介した照合
当該例では、テレビに送信される電子番組表の中に、各番組に対応してコンテンツ属性情報が含まれる。テレビが照合装置３０として機能する。
【０１１９】
ユーザは、テレビを操作し、照合対象を指定する入力を行う。図９に示す番組ニオイ詳細メタデータの場合、例えばユーザは、放送日、番組名（例：情報ＴＶ）、ヘッドライン（例：今日の料理）、ニオイ名（例：酢豚）を指定する入力を行う。これにより、指定された番組の指定された放送日における指定されたコーナに対応した指定されたニオイ名のニオイ成分が、照合対象として指定される。
【０１２０】
また、ユーザは、テレビが備えるニオイセンサを用いて、所定のニオイを検知させる。例えば、ユーザは、番組で紹介された料理を、番組で紹介された料理方法に従い作成し、作成した料理のニオイを検知させる。
【０１２１】
その後、テレビは、照合対象として指定されたニオイ成分と、ニオイセンサで検知されたニオイ成分との類似度を算出し、その結果をディスプレイに表示する。例えば、類似度を、「非常によく似ています」、「よく似ています」、「まあまあ似ています。」「あまり似ていません」、「全然似ていません」の五段階に分類し、五段階評価で類似度の結果を表示してもよい。
【０１２２】
（５−２）アプリやウェブサイトを介した検索
当該例では、アプリやウェブサイトで照合サービスが提供される。サーバが照合装置３０として機能する。
【０１２３】
ユーザは、スマートフォン、タブレット、ＰＣ等の装置を操作し、照合サービスの画面をディスプレイに表示させる。そして、ユーザは、照合対象を指定する入力を行う。図９に示す番組ニオイ詳細メタデータの場合、例えばユーザは、放送日、番組名（例：情報ＴＶ）、ヘッドライン（例：今日の料理）、ニオイ名（例：酢豚）を指定する入力を行う。すると、スマートフォン、タブレット、ＰＣ等の装置は、照合対象を指定する情報をサーバ（照合装置３０）に送信する。
【０１２４】
また、ユーザは、スマートフォン、タブレット、ＰＣ等の装置が備えるニオイセンサをで、所定のニオイを検知させる。例えば、ユーザは、番組で紹介された料理を、番組で紹介された料理方法に従い作成し、作成した料理のニオイを検知させる。すると、スマートフォン、タブレット、ＰＣ等の装置は、検知されたニオイ成分（各種ニオイの強度）をサーバに送信する。
【０１２５】
サーバは、照合対象として指定されたニオイ成分と、ニオイセンサで検知されたニオイ成分との類似度を算出し、返信する。スマートフォン、タブレット、ＰＣ等の装置は、受信した類似度をディスプレイに表示する。例えば、類似度を、「非常によく似ています」、「よく似ています」、「まあまあ似ています。」「あまり似ていません」、「全然似ていません」の五段階に分類し、五段階評価で類似度の結果を表示してもよい。
【０１２６】
「解析サービス（１）」
当該サービスは、分析会社により提供される。図１２に、当該サービスを実現する解析装置５０の機能ブロック図の一例を示す。解析装置５０は、視聴者特定部５１と、ニオイ傾向算出部５２とを有する。
【０１２７】
視聴者特定部５１は、第１のコンテンツの視聴者を特定する。視聴者特定部５１は、図２に示すニオイ視聴データを解析することで、第１のコンテンツの視聴者を特定することができる。
【０１２８】
ニオイ傾向算出部５２は、第１のコンテンツの視聴者が所定期間内に嗅いだニオイの傾向を算出する。ニオイ傾向算出部５２は、図２に示すニオイ視聴データを解析することで、第１のコンテンツの視聴者が所定期間内に嗅いだニオイの傾向を算出することができる。すなわち、ニオイ傾向算出部５２は、第１のコンテンツの視聴者の端末装置１０で検知されたニオイの結果に基づき、第１のコンテンツの視聴者が所定期間内に嗅いだニオイの傾向を算出することができる。
【０１２９】
例えば、ニオイ傾向算出部５２は、所定期間内に第１のコンテンツの視聴者各々が第１の属性のニオイ（例：甘いニオイ、辛いニオイ、酸っぱいニオイ等）を嗅いだ頻度を算出する。頻度は、所定期間内で第１の属性のニオイを嗅いだ時間で示されてもよいし、所定期間内で第１の属性のニオイを嗅いだ日数で示されてもよいし、所定期間内で第１の属性のニオイを嗅いだ回数で示されてもよいし、その他であってもよい。
【０１３０】
なお、各属性のニオイ（例：甘いニオイ、辛いニオイ、酸っぱいニオイ等）は、ニオイ成分で定義されてもよいし、ニオイ名やニオイＩＤで定義されてもよい。後者の場合、各属性のニオイに、各々に含まれるニオイ名やニオイＩＤを対応付けることで、定義される。例えば、「属性：甘いニオイ」に、「ニオイ名：ケーキ」、「ニオイ名：クッキー」等を対応付けることで定義されてもよい。
【０１３１】
そして、ニオイ傾向算出部５２は、第１のコンテンツの視聴者各々の上記頻度の統計値（例：平均値、最大値、最小値、最頻値、中央値等）を、第１のコンテンツの視聴者が所定期間内に第１の属性のニオイを嗅いだ頻度として算出することができる。
【０１３２】
ニオイ傾向算出部５２は、複数の属性のニオイ各々に対応して、第１のコンテンツの視聴者が所定期間内に嗅いだ頻度を算出することができる。
【０１３３】
以上のようにして、第１のコンテンツの視聴者が所定期間内に嗅いだニオイの傾向を算出することができる。
【０１３４】
また、ニオイ傾向算出部５２は、複数のコンテンツ各々に対応して、各コンテンツの視聴者が所定期間内に嗅いだニオイの傾向を算出することができる。結果、各コンテンツの視聴者層を今までにない視点で特定することができる。
【０１３５】
なお、図１３に示すように、解析装置５０はさらにマッピング部５３を有してもよい。マッピング部５３は、一つの軸に第１の属性のニオイを嗅いだ頻度をとり、他の軸に第２の属性のニオイを嗅いだ頻度をとったグラフに、複数のコンテンツ各々の視聴者が所定期間内に第１の属性及び第２の属性のニオイを嗅いだ頻度をマッピングし、出力する。
【０１３６】
図１４に、マッピング部５３により生成されたマッピング画像の一例を示す。当該例では、一方の軸に甘いニオイをとり、他方の軸に脂っぽいニオイをとったグラフが示されている。そして、同じ時間帯に放送される複数のテレビ番組各々の上記傾向（各コンテンツの視聴者が所定期間内に嗅いだニオイの傾向）がマッピングされている。また、放送局ごとに異なる色で円内が塗りつぶされている。
【０１３７】
図示する例の場合、右上に示されている「視聴者集計区分選択」における指定日時を選択することで、放送時間帯が指定され、その放送時間帯に放送されるコンテンツの結果がマッピングされることとなる。
【０１３８】
実線の円が、ニオイ傾向算出部５２により算出された各コンテンツの視聴者が所定期間内に嗅いだニオイの傾向を示す。点線の円は、各コンテンツに関連付けられているニオイの傾向を示す。すなわち、図１４のグラフの各軸は、コンテンツの視聴者が各ニオイを嗅いだ頻度を示すとともに、各コンテンツに関連付けられているニオイの傾向（強弱、時間の大小等）を示す。
【０１３９】
点線の円の中心座標の決め方としては、次のようなものが考えられる。例えば、コンテンツ制作会社が、コンテンツの内容を考慮して決定してもよい。例えば、コンテンツでケーキ等の甘いニオイの物を多く紹介した場合、コンテンツ制作会社は、甘いニオイの傾向が強いコンテンツと決定する。結果、図１４のグラフにおいてより右方向に位置する傾向となる。また、コンテンツで中華料理等の脂っぽいニオイの物を多く紹介した場合、コンテンツ制作会社は、脂っぽいニオイの傾向が強いコンテンツと決定する。結果、図１４のグラフにおいてより上方向に位置する傾向となる。
【０１４０】
点線の円の中心座標の他の決め方として、図９に示す番組ニオイ詳細メタデータに基づき決定してもよい。この場合、例えば、コンテンツ時間内で各属性のニオイを対応付けられた時間の大きさにより、コンテンツのニオイの傾向が算出されてもよい。例えば、コンテンツでケーキ等の甘いニオイの物を紹介した時間が長いほど、図１４のグラフにおいてより右方向に位置する傾向となる。また、コンテンツで中華料理等の脂っぽいニオイの物を紹介した時間が長いほど、図１４のグラフにおいてより上方向に位置する傾向となる。
【０１４１】
なお、円の大きさは各コンテンツの視聴率（例：平均視聴率）を示す。
【０１４２】
当該マッピング画像によれば、各コンテンツの実線の円の位置を確認することで、各コンテンツの視聴者のニオイの嗜好が明確になる。また、各コンテンツの実線の円と点線の円の位置のズレ（例：中心座標間距離）を確認することで、各コンテンツのニオイの傾向が視聴者の嗜好とあっているか否かを確認することができる。また、その結果と、各コンテンツの視聴率とを確認することで、各コンテンツのニオイの傾向と視聴者の嗜好との合致またはズレと、視聴率との関係を確認することができる。
【０１４３】
図１５に、マッピング部５３により生成されたマッピング画像の他の一例を示す。当該例では、一方の軸に香ばしいニオイをとり、他方の軸に脂っぽいニオイをとったグラフが示されている。そして、同じ時間帯に放送される複数の広告各々の上記傾向（各コンテンツの視聴者が所定期間内に嗅いだニオイの傾向）がマッピングされている。
【０１４４】
図示する例の場合、右上に示されている「視聴者集計区分選択」における指定日時を選択することで、放送時間帯が指定され、その放送時間帯に放送されるコンテンツの結果がマッピングされることとなる。
【０１４５】
実線の円が、ニオイ傾向算出部５２により算出された各コンテンツの視聴者の傾向を示す。点線の円は、各コンテンツに関連付けられているニオイの傾向を示す。
【０１４６】
点線の円の中心座標は、コンテンツ制作会社が、コンテンツの内容を考慮して決定してもよい。例えば、コンテンツでゴマ等の香ばしいニオイの物を多く紹介した場合、コンテンツ制作会社は、香ばしいニオイの傾向が強いコンテンツと決定する。結果、図１５のグラフにおいてより右方向に位置する傾向となる。また、コンテンツで中華料理等の脂っぽいニオイの物を多く紹介した場合、コンテンツ制作会社は、脂っぽいニオイの傾向が強いコンテンツと決定する。結果、図１５のグラフにおいてより上方向に位置する傾向となる。
【０１４７】
なお、円の大きさは各広告を放送した番組の視聴率（例：平均視聴率）を示す。また、当該例では、各コンテンツのＣＶＲが表示されている。
【０１４８】
当該マッピング画像によれば、各コンテンツの実線の円の位置を確認することで、各広告を放送した番組の視聴者のニオイの嗜好が明確になる。また、各コンテンツの実線の円と点線の円の中心座標間距離を確認することで、各コンテンツのニオイの傾向が視聴者の嗜好とあっているか否かを確認することができる。また、その結果と、各コンテンツの視聴率やＣＶＲとを確認することで、各コンテンツのニオイの傾向と視聴者の嗜好との合致またはズレと、視聴率やＣＶＲとの関係を確認することができる。
【０１４９】
なお、図１４及び図１５に示す例では２軸のグラフを示したが、３軸以上のグラフで示されてもよい。この場合、円を球に置き代え、円の大きさ（面積）を球の大きさ（体積）に置き代え、点線表示を透過表示等に置き代えてもよい。
【０１５０】
また、各コンテンツの視聴者が所定期間内に嗅いだニオイの傾向における「所定期間」は、広告（コンテンツ）の放送後からの所定期間であってもよい。このようにすれば、広告（コンテンツ）の視聴者行動への影響が解析できる。
【０１５１】
「解析サービス（２）」
当該サービスは、分析会社により提供される。図１６に、当該サービスを実現する推定装置６０の機能ブロック図の一例を示す。推定装置６０は、相関算出部６１と、推定部６２とを有する。
【０１５２】
相関算出部６１は、少なくともコンテンツに関連付けられているニオイを示すコンテンツ属性情報、及び、コンテンツの視聴率またはＣＶＲに基づき、コンテンツ属性情報と視聴率またはＣＶＲとの相関を算出する。具体的には、相関算出部６１は、過去に放送されたコンテンツの視聴率またはＣＶＲと、各コンテンツのコンテンツ属性情報とを教師データとして機械学習し、それらの相関関係を示す予測モデルを生成する。予測モデルには、例えば、重回帰分析、ニューラルネットワーク、サポートベクターマシン、隠れマルコフモデル等の利用が例示されるが、これらに限定されない。
【０１５３】
なお、コンテンツ属性情報は、ここまでに例示した情報のほか、視聴率またはＣＶＲに影響し得るその他の情報を含んでもよい。例えば、性別ターゲット、放送曜日、年代ターゲット、放送頻度、ＧＲＰ（gross rating point）等をさらに含んでもよい。
【０１５４】
推定部６２は、相関算出部６１により算出された相関（予測モデル）とコンテンツ属性情報とに基づき視聴率またはＣＶＲを推定する。すなわち、推定部６２は、視聴率推定対象のコンテンツのコンテンツ属性情報を上記予測モデルに入力し、視聴率またはＣＶＲの推定結果を算出する。
【０１５５】
例えば、推定部６２は、図１７に示すような入力画面から、視聴率推定対象のコンテンツのコンテンツ属性情報の入力を受付けてもよい。そして、図１７に示すような出力画面に推定結果を表示してもよい。
【０１５６】
変形例として、相関算出部６１は、コンテンツ属性情報と、各コンテンツの視聴者が所定期間内に所定のニオイを嗅いだ頻度と、視聴率またはＣＶＲとの相関を算出してもよい。そして、推定部６２は、相関算出部６１により算出された相関と、コンテンツ属性情報と、各コンテンツの視聴者が所定期間内に所定のニオイを嗅ぐ頻度とに基づき、視聴率またはＣＶＲを推定してもよい。かかる場合、推定精度が向上する。
【０１５７】
また、図１８に示すように、推定装置６０は、さらに変更案算出部６３を有してもよい。変更案算出部６３は、推定部６２の推定結果に基づき、視聴率またはＣＶＲを高めることになるコンテンツ属性情報の変更案を算出する。
【０１５８】
例えば、変更案算出部６３は、推定部６２に入力されたコンテンツ属性情報に含まれる各種情報の値を変えた変更後コンテンツ属性情報を推定部６２に入力し、視聴率またはＣＶＲの推定結果を算出させてもよい。そして、複数の変更後コンテンツ属性情報の中から、視聴率またはＣＶＲの推定結果を高める変更後コンテンツ属性情報を抽出してもよい。なお、変更案算出部６３は、予め、変更後コンテンツ属性情報に含める各種情報の値の候補（例：ニオイ名候補、出演者候補、ＢＧＭ候補等）を保持しておき、当該情報を用いて、変更後コンテンツ属性情報を生成することができる。
【０１５９】
図１９に、変更案算出部６３により算出された変更案の出力例を示す。図示する例では、視聴率またはＣＶＲの向上率が高い順に、変更案を一覧表示している。そして、変更内容と、変更後の予測視聴率及び予測ＣＶＲを表示している。推奨度１位の案の場合、コンテンツに関連付けられているニオイをカレーにすることが提案されている。また、推奨度２位の案の場合、出演者にミスターＡを含めることが提案されている。
【０１６０】
なお、コンテンツが番組の場合、予測視聴率のみが表示されてもよいし、図示するように予測視聴率と予測ＣＶＲとが表示されてもよい。また、コンテンツが広告の場合、予測ＣＶＲのみが表示されてもよい。
【０１６１】
次に、端末装置１０、検索装置２０、照合装置３０、解析装置５０及び推定装置６０のハードウエア構成の一例について説明する。本実施形態の上記装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【０１６２】
図２０は、本実施形態の各装置のハードウエア構成を例示するブロック図である。図２０に示すように、各装置は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【０１６３】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）等の演算処理装置である。メモリ２Ａは、例えばＲＡＭ（Random Access Memory）やＲＯＭ（Read Only Memory）等のメモリである。入出力インターフェイス３Ａは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイス等を含む。プロセッサ１Ａは、各モジュールに指令を出し、それらの演算結果をもとに演算を行うことができる。
【０１６４】
以上説明した本実施形態によれば、テレビ、ラジオ、インターネット等の媒体を介してコンテンツを提供するサービスに関連付けられているニオイを用いた新たなサービスが実現される。
【０１６５】
例えば、コンテンツ検索サービスが提供される。当該サービスによれば、視聴者は、ニオイを検索キーとして所望のコンテンツを検索することが可能となる。結果、検索キーとできる情報の幅が従来よりも広がり、従来よりも検索しやすくなる。
【０１６６】
その他、照合サービスが提供される。当該サービスによれば、視聴者は、コンテンツ内で紹介されている料理等のニオイと、自身が作成した料理等のニオイとが類似するか否かを確認することができる。結果、視聴者は、ニオイに基づき、コンテンツ内で紹介されている料理と同等な料理を作ることができたか等を確認することができる。
【０１６７】
その他、解析サービスが提供される。当該サービスによれば、各コンテンツの視聴者のニオイの嗜好を特定することができる。また、図１４に示すマッピング画像によれば、各コンテンツの実線の円と点線の円の中心座標間距離を確認することで、各コンテンツのニオイの傾向が視聴者の嗜好とあっているか否かを確認することができる。また、その結果と、各コンテンツの視聴率とを確認することで、各コンテンツのニオイの傾向と視聴者の嗜好との合致またはズレと、視聴率との関係を確認することができる。コンテンツ制作会社は、これらの結果に基づき、コンテンツの改善等を行うことができる。
【０１６８】
また、図１５に示すマッピング画像によれば、各コンテンツの実線の円の位置を確認することで、各広告を放送した番組の視聴者のニオイの嗜好が明確になる。また、各コンテンツの実線の円と点線の円の中心座標間距離を確認することで、各コンテンツのニオイの傾向が視聴者の嗜好とあっているか否かを確認することができる。また、その結果と、各コンテンツの視聴率やＣＶＲとを確認することで、各コンテンツのニオイの傾向と視聴者の嗜好との合致またはズレと、視聴率やＣＶＲとの関係を確認することができる。コンテンツ制作会社は、これらの結果に基づき、コンテンツの改善等を行うことができる。また、広告主は、スポンサーになるコンテンツの変更等を行うことができる。
【０１６９】
また、解析サービスによれば、少なくともコンテンツに関連付けられているニオイを示すコンテンツ属性情報と視聴率またはＣＶＲとの相関に基づき、視聴率またはＣＶＲを推定することができる。そして、視聴率またはＣＶＲを高めることになるコンテンツ属性情報の変更案を算出することができる。結果、コンテンツ制作会社／広告主は、視聴率やＣＶＲを高くするコンテンツを効率的に制作することが可能となる。
【０１７０】
以下、参考形態の例を付記する。
１−１．  ニオイを検知するニオイ検知手段と、
コンテンツの視聴の開始、及び、閾値以上の強度のニオイの検知の少なくとも一方を含むイベントを検出する検出手段と、
前記イベントの検出に応じて、検知されたニオイを記録する記録手段と、
記録されたニオイを示す情報を外部装置に送信する送信手段と、
を有する端末装置。
１−２．  １−１に記載の端末装置において、
前記イベントはコンテンツの視聴の開始を含み、
前記送信手段は、前記コンテンツの視聴に関する属性情報をさらに前記外部装置に送信する端末装置。
２−１．  第１のコンテンツの視聴者を特定する視聴者特定手段と、
前記第１のコンテンツの視聴者の端末装置で検知されたニオイの結果に基づき、前記第１のコンテンツの視聴者が所定期間内に嗅いだニオイの傾向を算出するニオイ傾向算出手段と、
を有する解析装置。
２−２．  ２−１に記載の解析装置において、
前記ニオイ傾向算出手段は、前記所定期間内に前記第１のコンテンツの視聴者各々が所定のニオイを嗅いだ頻度を算出し、複数の前記第１のコンテンツの視聴者の前記頻度の統計値を、前記第１のコンテンツの視聴者が前記所定期間内に前記所定のニオイを嗅いだ頻度として算出する解析装置。
２−３．  ２−２に記載の解析装置において、
一つの軸に第１の属性のニオイを嗅いだ頻度をとり、他の軸に第２の属性のニオイを嗅いだ頻度をとったグラフに、複数のコンテンツ各々の視聴者が前記所定期間内に前記第１の属性及び前記第２の属性のニオイを嗅いだ頻度をマッピングし、出力するマッピング手段をさらに有する解析装置。
２−４．  ２−３に記載の解析装置において、
前記グラフの各軸は、コンテンツの視聴者が各ニオイを嗅いだ頻度を示すとともに、各コンテンツに関連付けられているニオイの傾向を示し、
前記マッピング手段は、前記グラフに、複数のコンテンツ各々に関連付けられているニオイの傾向をさらにマッピングする解析装置。
２−５．  ２−４に記載の解析装置において、
各コンテンツに関連付けられているニオイの傾向は、コンテンツ時間内で各ニオイを対応付けられた時間の大きさを示す解析装置。
２−６．  ２−１から２−５のいずれかに記載の解析装置において、
少なくともコンテンツに関連付けられているニオイを示すコンテンツ属性情報を記憶する属性情報記憶手段と、
ニオイセンサで検知されたニオイを示すニオイ情報を取得するニオイ情報取得手段と、
前記コンテンツ属性情報で示されるニオイと、前記ニオイ情報で示されるニオイとの類似度を算出する類似度算出手段と、
前記類似度を出力する出力手段と、
を有する解析装置。
２−７．  ２−１から２−６のいずれかに記載の解析装置において、
前記所定のニオイを嗅いだ頻度は、所定期間内で前記所定のニオイを嗅いだ時間、日数又は回数である解析装置。
３．  端末装置と解析装置とを有し、
前記端末装置は、
ニオイを検知するニオイ検知手段と、
コンテンツの視聴の開始、及び、閾値以上の強度のニオイの検知の少なくとも一方を含むイベントを検出する検出手段と、
前記イベントの検出に応じて、検知されたニオイを記録する記録手段と、
記録されたニオイを示す情報を外部装置に送信する送信手段と、
を有し、
前記解析装置は、
第１のコンテンツの視聴者を特定する視聴者特定手段と、
前記第１のコンテンツの視聴者の前記端末装置で検知されたニオイの結果に基づき、前記第１のコンテンツの視聴者が所定期間内に嗅いだニオイの傾向を算出するニオイ傾向算出手段と、
を有するシステム。
４−１．  少なくともコンテンツに関連付けられているニオイを示すコンテンツ属性情報、及び、前記コンテンツの視聴率またはＣＶＲに基づき、前記コンテンツ属性情報と前記視聴率またはＣＶＲとの相関を算出する相関算出手段と、
前記相関と前記コンテンツ属性情報とに基づき前記視聴率またはＣＶＲを推定する推定手段と、
を有する推定装置。
４−２．  ４−１に記載の推定装置において、
前記相関算出手段は、前記コンテンツ属性情報と、各コンテンツの視聴者が所定期間内に所定のニオイを嗅いだ頻度と、前記視聴率またはＣＶＲとの相関を算出し、
前記推定手段は、前記相関と、前記コンテンツ属性情報と、各コンテンツの視聴者が所定期間内に所定のニオイを嗅ぐ頻度とに基づき、前記視聴率またはＣＶＲを推定する推定装置。
４−３．  ４−１又は４−２に記載の推定装置において、
前記推定手段の推定結果に基づき、前記視聴率またはＣＶＲを高めることになる前記コンテンツ属性情報の変更案を算出する変更案算出手段をさらに有する推定装置。
５−１．  少なくともコンテンツに関連付けられているニオイを示すコンテンツ属性情報を記憶する属性情報記憶手段と、
ニオイを指定する検索キーを取得する検索キー取得手段と、
前記属性情報記憶手段に記憶された前記コンテンツ属性情報の中から、前記検索キーで指定されるニオイを示す前記コンテンツ属性情報を抽出する検索手段と、
を有する検索装置。
５−２．  ５−１に記載の検索装置において、
前記検索キー取得手段は、視聴者の嗜好に合ったコンテンツに関連付けられているニオイを、前記検索キーとして取得する検索装置。
５−３．  ５−１または５−２に記載の検索装置において、
前記検索キー取得手段は、
場所情報とニオイとを対応付けた場所ごとニオイ情報を保持し、
場所を指定する入力をユーザから受付けると、前記場所ごとニオイ情報を用いて、ユーザにより指定された場所の情報をニオイに変換し、当該ニオイを検索キーとして取得する検索装置。
５−４．  ５−１から５−３のいずれかに記載の検索装置において、
前記検索キーは、ニオイ成分、ニオイ名またはニオイＩＤである検索装置。
６．  コンピュータが、
ニオイを検知するニオイ検知工程と、
コンテンツの視聴の開始、及び、閾値以上の強度のニオイの検知の少なくとも一方を含むイベントを検出する検出工程と、
前記イベントの検出に応じて、検知されたニオイを記録する記録工程と、
記録されたニオイを示す情報を外部装置に送信する送信工程と、
を実行する端末装置の動作方法。
７．  コンピュータを、
ニオイを検知するニオイ検知手段、
コンテンツの視聴の開始、及び、閾値以上の強度のニオイの検知の少なくとも一方を含むイベントを検出する検出手段、
前記イベントの検出に応じて、検知されたニオイを記録する記録手段、
記録されたニオイを示す情報を外部装置に送信する送信手段、
として機能させるプログラム。
８．  コンピュータが、
第１のコンテンツの視聴者を特定する視聴者特定工程と、
前記第１のコンテンツの視聴者の端末装置で検知されたニオイの結果に基づき、前記第１のコンテンツの視聴者が所定期間内に嗅いだニオイの傾向を算出するニオイ傾向算出工程と、
を実行する解析方法。
９．  コンピュータを、
第１のコンテンツの視聴者を特定する視聴者特定手段、
前記第１のコンテンツの視聴者の端末装置で検知されたニオイの結果に基づき、前記第１のコンテンツの視聴者が所定期間内に嗅いだニオイの傾向を算出するニオイ傾向算出手段、
として機能させるプログラム。
１０．コンピュータが、
少なくともコンテンツに関連付けられているニオイを示すコンテンツ属性情報、及び、前記コンテンツの視聴率またはＣＶＲに基づき、前記コンテンツ属性情報と前記視聴率またはＣＶＲとの相関を算出する相関算出工程と、
前記相関と前記コンテンツ属性情報とに基づき前記視聴率またはＣＶＲを推定する推定工程と、
を実行する推定方法。
１１．  コンピュータを、
少なくともコンテンツに関連付けられているニオイを示すコンテンツ属性情報、及び、前記コンテンツの視聴率またはＣＶＲに基づき、前記コンテンツ属性情報と前記視聴率またはＣＶＲとの相関を算出する相関算出手段、
前記相関と前記コンテンツ属性情報とに基づき前記視聴率またはＣＶＲを推定する推定手段、
として機能させるプログラム。
【符号の説明】
【０１７１】
１Ａ    プロセッサ
２Ａ    メモリ
３Ａ    入出力Ｉ／Ｆ
４Ａ    周辺回路
５Ａ    バス
１０    端末装置
１１    検出部
１２    ニオイ検知部
１３    記録部
１４    送信部
２０    検索装置
２１    属性情報記憶部
２２    検索キー取得部
２３    検索部
３０    照合装置
３１    属性情報記憶部
３２    ニオイ情報取得部
３３    類似度算出部
３４    出力部
５０    解析装置
５１    視聴者特定部
５２    ニオイ傾向算出部
５３    マッピング部
６０    推定装置
６１    相関算出部
６２    推定部
６３    変更案算出部
【図１】
2019067055.tif 000003
【図２】
2019067055.tif 000004
【図３】
2019067055.tif 000005
【図４】
2019067055.tif 000006
【図５】
2019067055.tif 000007
【図６】
2019067055.tif 000008
【図７】
2019067055.tif 000009
【図８】
2019067055.tif 000010
【図９】
2019067055.tif 000011
【図１０】
2019067055.tif 000012
【図１１】
2019067055.tif 000013
【図１２】
2019067055.tif 000014
【図１３】
2019067055.tif 000015
【図１４】
2019067055.tif 000016
【図１５】
2019067055.tif 000017
【図１６】
2019067055.tif 000018
【図１７】
2019067055.tif 000019
【図１８】
2019067055.tif 000020
【図１９】
2019067055.tif 000021
【図２０】
2019067055.tif 000022